【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】  上面とこの上面に位置されたキャビティとを有し、これら上面とキャビティとに位置された導電性層を有するワークピースに、電解液から導電性材料を堆積させる方法であって、
アノード近くに配設されたワークピースとアノードとの間に電位差を与えて、ワークピースのキャビティに少なくとも位置された導電性層に導電性材料を供給する工程と、
この導電性材料を供給する工程が実施されている間に、パッドで、前記ワークピースの上面に位置された前記導電性層を研磨することによって、このワークピースの上面に位置された導電性層への、前記導電性材料の堆積を最小限にする工程とを具備する方法。
【請求項２】  前記供給する工程及び堆積を最小限にする工程が中で行われるチャンバから電解液を排出する工程と、
排出された電解液をクリーンにする工程と、
この電解液をワークピースに供給するために、チャンバ内に補給する工程とを更に具備する、請求項１の方法。
【請求項３】  前記導電性材料は、銅を含む、請求項１又は２の方法。
【請求項４】  前記ワークピースのキャビティは、ビアホールを含み、ワークピースは、ウエハを含む、請求項１ないし３のいずれか１の方法。
【請求項５】  前記電解液は、スラリーを含んでいる、請求項１ないし４のいずれか１の方法。
【請求項６】  前記導電性層は、バリヤー／シード層である、請求項１ないし５のいずれか１の方法。
【請求項７】  前記ワークピースのキャビティに位置された導電性層と接する電解液の保持を助けるようにパッドを移動させる工程を有する、請求項１ないし６のいずれか１の方法。
【請求項８】  前記パッドを移動させる工程は、機械的なパルシングを発生させ、これによって、グレインのサイズを向上させる、請求項７の方法。
【請求項９】  前記パッドは、前記アノードに取り付けられ、前記導電性材料を供給する工程は、前記アノード及びパッドを介して電解液を流す工程を、更に有する、請求項１ないし８のいずれか１の方法。
【請求項１０】  前記導電性材料を供給する工程は、電解液をパッドに直接供給する工程を更に有する、請求項１ないし９のいずれか１の方法。
【請求項１１】  前記堆積を最小限にする工程は、導電性材料が、前記ワークピースの上面に位置された導電性層に形成されるのを防ぐ、請求項１ないし１０のいずれか１の方法。
【請求項１２】  前記電位差を与えるのは、第１の極性を有する電位差を与える電位の差を与え、さらに、この与える前に、
前記ワークピースとアノードとの間に、前記第１の極性と逆の第２の極性を有する第２の電位差を与える工程と、
この第２の電位差を与えている間に、前記ワークピースの上面に位置された導電性層を研磨する工程とを更に有する、請求項１ないし１１のいずれか１の方法。
【請求項１３】  前記電解液は、スラリーを含む、請求項１２の方法。
【請求項１４】  前記導電性材料が、前記キャビティ全体に渡って位置された導電性層に供給されて、このキャビティを充填した後に、スラリーをワークピースに供給する工程と、このワークピースを化学的機械的研磨する工程とを更に有する、請求項１ないし１３のいずれか１の方法。
【請求項１５】  前記ワークピースは、ウエハである、請求項１ないし１４のいずれか１の方法。
【請求項１６】  前記導電性材料を供給する工程は、パッドを介して電解液を流す工程を有する、請求項１の方法。
【請求項１７】  前記電位差を与えることは、プラチナを前記アノードとして使用する、請求項１ないし１６の方法。
【請求項１８】  ワークピースの少なくともキャビティに電力を供給して、電解液から導電性材料を堆積し、また、前記ワークピースの上面部分への導電性材料の堆積を最小限にする装置であって、
電力の供給によって第１の電位を受け得、前記ワークピースから離れた電極と、
前記電極に取り付けられ、この電極とワークピースとの間に位置されたパッドとを具備し、
第１の電位が与えられている間のワークピースに対するパッドの相対的な動きは、パッドが、ワークピースの上面部分と接触し、多量の導電性材料を前記キャビティに堆積しているときに、上面部分への導電性材料の堆積を最小限にする、装置。
【請求項１９】  複数のパッドが、前記電極に取り付けられ、この電極とワークピースとの間に位置され、また、これら複数のパッドが、ワークピースの上面部分に接する際に、この上面部分への導電性材料の堆積を最小限にする、請求項１８の装置。
【請求項２０】  前記ワークピースとパッドとは、同じ１つの軸を中心として回転するように配置されている、請求項１８又は１９の装置。
【請求項２１】  前記ワークピースは、第１の軸を中心として回転するように配置され、前記パッドは、第１の軸と異なる第２の軸を中心として回転するように配置されている、請求項１８又は１９の装置。
【請求項２２】  前記パッドは、シリンダのように成形されている、請求項１８ないし２１のいずれか１の装置。
【請求項２３】  前記パッドは、シリンダのように成形された電極の周りに形作られている、請求項１８ないし２１のいずれか１の装置。
【請求項２４】  前記ワークピースを支持し、このワークピースを第１の軸を中心として回転させるように適合されたワークピースヘッドアセンブリと、
前記パッドと電極とを有し、このパッドは、ワークピースのキャビティと接する電解液の保持を助けるために、ワークピースに対して移動可能なパッドアセンブリとを更に有する、請求項１８ないし２３のいずれか１の装置。
【請求項２５】  電解液をワークピースに流すための入口のチャンネルと、
チャンバからの電解液を流すための出口のチャンネルとを有するチャンバを有する、請求項１８ないし２４のいずれか１の装置。
【請求項２６】  前記出口のチャンネルを通って流出する電解液を補給し、クリーンにするための再生リザーバを更に有する、請求項２５の装置。
【請求項２７】  前記電解液が、入口のチャンネルから、電極及びパッドを通って、ワークピースまで流れることが可能なようにこの装置が配置されている、請求項２５又は２６の装置。
【請求項２８】  前記電解液が、入口のチャネルから直接パッドに、そして、ワークピースに、流される、請求項２５ないし２７のいずれか１の装置。
【請求項２９】  第１の軸を中心として回転するように適合された、ワークピースを支持するためのワークピースヘッドアセンブリと、
アノードに取り付けられたパッドを有するパッドアセンブリとを有し、前記アノードは、円筒形で、第２の軸を中心として回転するように適合されている、請求項２４の装置
【請求項３０】  円筒形の前記アノードは、通路及び複数の孔を有し、電解液が、パッドを介して、通路及び複数の孔を通り、ワークピースまで流れることが可能なように配置されている、請求項２９の装置。
【請求項３１】  前記電解液が、入口のチャンネルから直接パッドまで流れるようにこの装置は配置されている、請求項２９又は３０の装置。
【請求項３２】  前記アノードは、第１の電位を受けているとき、第１の期間に続く第２の期間の間に、第１の電位と逆の第２の電位を受けるように配置され、前記パッドは、第２の期間の間に、前記ワークピースの上面部分を研磨し、この上面部分から導電性材料を除去するように配置されている請求項２４の装置。
【請求項３３】  電解液が、ワークピースに供給されるのを、また、導電性材料が、ワークピースのキャビティに堆積されるのを、可能にするチャンバを有する、請求項３２の装置。
【請求項３４】  前記チャンバは、導電性材料を、第１の期間にワークピースに堆積し、第２の期間に前記上面から除去するのを可能にするように配置されている、請求項３３の装置。
【手続補正２】
【補正対象書類名】明細書
【補正対象項目名】００１３
【補正方法】変更
【補正の内容】
【００１３】
図１は、本発明の第１の実施形態に係わる電気的化学的機械的堆積装置１０の概観を示し、また、第１の軸を中心とする矢印１４方向への回転（回転１４と称する）を果たす機械的なパッド３２を有する機械的なパッドアセンブリ１２と、第２の軸を中心とする矢印１８方向への回転（回転１８と称する）を果たすウエハを有するウエハヘッドアセンブリ１６とを、平面図で示している。図示されるように、ウエハは、以下に詳述されるように、機械的なパッド３２によって覆われた領域内で回転する。この領域は、中に入れられた様々の溶液を維持するコンテナ２０内にある。単一のウエハに対して動作するように示されているが、複数のウエハヘッドアセンブリ１６が、各機械的なパッドアセンブリ１２と関連して設けられ得、このために、装置１０は、夫々に異なったウエハに対して動作する複数の機械的なパッドアセンブリ１２を有し得る。
【手続補正３】
【補正対象書類名】明細書
【補正対象項目名】００１４
【補正方法】変更
【補正の内容】
【００１４】
図２は、本発明に係わる図１のＡ―Ａ線に沿って切断された装置（システム）１０の縦断面である。図示されるように、システム１０は、ウエハ上に金属の薄膜を堆積することが可能である。  
各ウエハヘッドアセンブリ１６は、好ましくは中心部が数ミリメータの深さを有するとともに静止パッド２５を収容し得るキャビティを備え、非導電性で、好ましくは円形の、ヘッドアセンブリを有する。半導体ウエハは、従来形式の搬送もしくは真空機構を用いて、まず裏側が静止パッド２５に当たるように前記キャビティ２２内に装填され、この結果、使用中、ウエハは、ウエハヘッドアセンブリに対して確実に静止される。ウエハヘッドアセンブリ１６の周囲に位置する非導電性の維持リング２４は、夫々ウエハの表面を押し、ウエハを先端部の所定位置に保持するための、少なくとも１つのＯ−リングもしくは他のゴム形式のシール２６と、ばねにより付勢されたカソードコンタクト電極２８とを有する。このようにして、液密シールが、得られ、かくして、後述されるように、カソードコンタクト電極２８は、コンテナ２０内の溶液から隔離されるように維持される。このように、静止パッド２５を押すウエハの裏側全体と、保持リング２４の下の前面領域（典型的には前面領域の１−１０ｍｍの外側の面）とが、後述されるように、電解液を含むいかなる溶液からも保護される。
【手続補正４】
【補正対象書類名】明細書
【補正対象項目名】００１５
【補正方法】変更
【補正の内容】
【００１５】
上述され、かつ後述されるように、機械的なパッドアセンブリ１２は、コンテナ２０内に配置され、このコンテナ２０は、導入された様々の溶液を保持する。機械的なパッドアセンブリ１２は、好ましくは薄く平らな円形状であるとともに銅並びに／もしくは白金のような多孔性もしくは固形の導電性材料で形成されたアノード板３０を有し、第２の軸を中心として回転１８するように設けられ、公知のように、ベアリング支持材及びテーブルに設けられている。当業者に公知で、例えば化学的機械的研磨において使用され、好ましくはポリウレタンのような非導電性かつ多孔性形状の材料で形成された機械的なパッド３２が、板状のアノード３０の一面に設けられる。この機械的なパッド３２は、円形状が好ましいが、効果的にウエハを研磨し得る限り他の形状にも成型され得る。電解液は、アノード３０の後ろに配置されたリザーバ（示されず）から、チャンバ３１を介して、パッド３２に供給され得、このために、チャンバ３１は、入口のチャンネル３４から、アノード３０及びパッド３２全体に電解液を供給する。これに代わって、別の入口のチャンネル４４が、また、パッド３２の表面に電解液を直接供給するために使用され得る。
【手続補正５】
【補正対象書類名】明細書
【補正対象項目名】００１６
【補正方法】変更
【補正の内容】
【００１６】
前記ウエハヘッドアセンブリ１６は、機械的なパッドアセンブリ１２に面し、制御される力で押し下げられる。このウエハヘッドアセンブリ１６は、従来の電動スピンドル３６を用いて、軸を中心として回転１８する。一方、前記機械的なパッドアセンブリ１２は、従来の電動スピンドル３８を用いて、軸を中心として回転１４する。  
適当なドレインチャンネル（出口のチャンネル）４０が、電解液の、安全な再利用もしくは破棄を可能にする。かくして、電解液は、上述されたように、パッド３２の面に供給された後に、ドレインチャンネル４０を介して、図示されていない再利用リザーバに排水され得る。また、この再利用リザーバは、電解液を補給及び清浄にして、再利用を可能にし、環境保護に貢献する。
【手続補正６】
【補正対象書類名】明細書
【補正対象項目名】００１７
【補正方法】変更
【補正の内容】
【００１７】
また、前記入口のチャンネル４４が、後述されるように、本発明の第２のモードで動作するとき、脱イオン水を供給するのに使用され得る。  
本発明の第１のモードに係わる動作において、装置１０は、電源を用いて、カソードコンタクト電極２８に負の電位を、アノード（アノード電極）３０に正の電位を、印加する。電解液は、チャンネル３４，４４の一方もしくは両方の中から、機械的な研磨パッド３２の表面に導入される。電流が２つの電極２８、３０間に流されると、電解液中の金属分子が、イオン化され、これが、カソードコンタクト電極２８によって、これに引き寄せられてウエハの表面に堆積される。これが行われている間に、また、機械的なパッドアセンブリ１２を用いる機械的な研磨も、行われる。この機械的なパッドアセンブリ１２は、機械的なパッド３２の研磨もしくは擦り動作によって、実質的に、このような堆積が望ましくないウエハの表面に、金属の分子が永久的に堆積されるのを防ぐ。このように、現在、堆積を防ぐかもしくは減じるために用いられている、上述された汚染物質もしくは添加剤は、必要とされないか、あるいは、かなり低い割合で使用され得る。従って、動作の第１のモードの結果、金属は、ビアとその他望ましい部分に堆積され、実質的に、望ましくない領域に堆積されるのが防がれる。
【手続補正７】
【補正対象書類名】図面
【補正対象項目名】図２
【補正方法】変更
【補正の内容】
【図２】
2002528649.tif 000001